(57)【要約】【課題】携帯機器の表示面に表示された画面を、より臨場感が得られる状態で、画像表示面に表示させることを可能とする画像表示装置および携帯機器を提供する。【解決手段】プロジェクタ１は、携帯機器２から出力される映像信号を取得するとともに、携帯機器２の表示面３０１ａの、基準状態に対する傾き角αを示す傾き信号を携帯機器２から取得する信号入力部２２６と、傾き信号に応じて、スクリーンに投写される投写画面の状態を変化させる画面状態変更手段（第１制御部２２１、駆動部２２５）と、を備える。ここで、画面状態変更手段は、傾き信号に基づいて、信号入力部２２６により取得された映像信号に基づく画像を、表示面３０１ａの傾きに追従するよう、スクリーンにおいて傾かせる。【選択図】図４
2013146049.tif 000002
【特許請求の範囲】
【請求項１】
所定の画像表示面に表示される画像を生成する画像生成部と、
映像信号に基づいて前記画像生成部を動作させる回路部と、
携帯機器から出力される映像信号を取得して前記回路部に供給する映像取得部と、
前記携帯機器の表示面の、基準状態に対する傾き角を示す傾き信号を前記携帯機器から取得する傾き取得部と、
前記傾き信号に応じて、前記画像表示面に表示される画面の状態を変化させる画面状態変更手段と、を備え、
前記画面状態変更手段は、前記傾き信号に基づいて、前記映像取得部により取得された前記映像信号に基づく画像を、前記表示面の前記傾きに追従するよう、前記画像表示面において傾かせる、
ことを特徴とする画像表示装置。
【請求項２】
請求項１に記載の画像表示装置において、
前記画像生成部は、光源からの光を変調して画像光を生成する光変調部を含み、
前記画像光を前記画像表示面である被投写面に投写する投写部を、さらに備え、
前記画面状態変更手段は、
前記画像光により形成される投写画面が前記被投写面上において回転するよう、前記画像生成部を回転させる駆動部と、
前記傾き信号に従って前記駆動部を制御する駆動制御部と、を有する、
ことを特徴とする画像表示装置。
【請求項３】
請求項２に記載の画像表示装置において、
前記基準状態は、前記表示面の横方向が水平面に対して平行となる状態であり、
前記傾き信号は、前記基準状態に対する前記表示面の面内方向における傾き角を示し、
前記駆動部は、前記画像生成部からの前記画像光の出射方向に垂直な面内方向に前記画像生成部を回転させ、
前記駆動制御部は、前記投写画面の横方向が水平面に対して前記表示面と同じ方向に傾くように、前記傾き信号に応じて前記駆動部を制御する、
ことを特徴とする画像表示装置。
【請求項４】
請求項３に記載の画像表示装置において、
前記駆動部は、前記画像光の中心軸を回転軸として、前記画像生成部を回転させる、
ことを特徴とする投写型表示装置。
【請求項５】
請求項１に記載の画像表示装置において、
前記画面状態変更手段は、前記回路部に配され、前記映像取得部により取得された前記映像信号を前記傾き信号に応じて処理する信号処理部を含み、
前記信号処理部は、前記映像取得部により取得された前記映像信号から、当該映像信号に基づく画像が前記画像表示面上において傾いた前記画面を形成するための傾き表示用の信号を生成する、
ことを特徴とする画像表示装置。
【請求項６】
請求項５に記載の画像表示装置において、
前記信号処理部は、前記傾き信号に従ってキーストーン補正の処理を行うことにより、前記傾き表示用の信号を生成する、
ことを特徴とする画像表示装置。
【請求項７】
映像信号に基づく画面を表示面に表示させる表示部と、
前記表示面に表示される画面を形成するための前記映像信号を外部装置に供給するための映像供給部と、
基準状態に対する前記表示面の傾きを示す傾き信号を、前記映像信号の供給に並行して前記外部装置に供給するための傾き供給部と、
を有することを特徴とする携帯機器。
【請求項８】
請求項７に記載の携帯機器において、
前記基準状態は、前記表示面の横方向が水平面に対して平行となる状態であり、
前記傾き信号は、前記基準状態に対する前記表示面の面内方向における傾きを示す信号である、
ことを特徴とする携帯機器。
【発明の詳細な説明】
【技術分野】
【０００１】
本発明は、光源からの光を変調して被投写面に投写する投写型表示装置、モニタディスプレイ、テレビジョン等の画像表示装置に関する。さらに、本発明は、ポータブルゲーム機、携帯電話機等の携帯機器に関する。
【背景技術】
【０００２】
従来、画像表示装置の一つである投写型表示装置（以下、「プロジェクタ」という）では、光源から出射された光が光変調素子よって変調され、変調された光がスクリーン等の被投写面に投写される。かかるプロジェクタでは、スクリーンに投写された画像の傾きや歪みを解消するために、キーストーン補正機能が備えられている（たとえば、特許文献１参照）。キーストーン補正が行われることにより、画素の傾きや歪みが解消されるように画像の状態が変化する。
【先行技術文献】
【特許文献】
【０００３】
【特許文献１】特開２００９−２８４３１１号公報
【発明の概要】
【発明が解決しようとする課題】
【０００４】
かかるプロジェクタに、ポータブルゲーム機、携帯電話機等の携帯機器が接続され、当該携帯機器から映像信号が入力される場合がある。この場合、携帯機器の表示面に表示される画面（表示画面）が、プロジェクタによってスクリーンに投写される。これにより、たとえば、携帯機器においてゲームソフトのアプリケーションプログラムが実行される場合には、ゲーム画面がスクリーンに大きく映し出されるので、ユーザは、臨場感があるゲーム画面を楽しむことができる。なお、携帯機器がモニタディスプレイやテレビジョン、より望ましくは大型のモニタディスプレイやテレビジョンに接続される場合も、同様に、ユーザが、臨場感があるゲーム画面を楽しむことができる。
【０００５】
近年、携帯機器の傾きを検出するためのセンサを備え、当該センサにより検出された傾きをゲーム画面に対する入力操作の一つとして取得する携帯機器が普及しつつある。上記のように、携帯機器のゲーム画面がプロジェクタによりスクリーンに投写される場合、携帯機器の表示面、即ち、ゲーム画面が傾くことに合わせて、スクリーン上のゲーム画面の画像が傾いたように見えると、より臨場感が得られる。
【０００６】
従来のプロジェクタには、上述したように、スクリーン上の画像の状態を変える機能として、キーストーン補正機能が備えられている。しかしながら、キーストーン補正機能は、あくまで、スクリーン上の画像の傾きや歪みを解消するものである。よって、従来のプロジェクタでは、携帯機器の傾きに応じてスクリーン上の画像を傾けることはできない。
【０００７】
本発明は、かかる課題に鑑みてなされたものであり、携帯機器の表示面に表示された画面を、より臨場感が得られる状態で、被投写面等の画像表示面に表示させることを可能とする画像表示装置および携帯機器を提供することを目的とする。
【課題を解決するための手段】
【０００８】
本発明の第１の態様に係る投写型表示装置は、所定の画像表示面に表示される画像を生成する画像生成部と、映像信号に基づいて画像生成部を動作させる回路部と、携帯機器から出力される映像信号を取得して前記回路部に供給する映像取得部と、前記携帯機器の表
示面の、基準状態に対する傾き角を示す傾き信号を前記携帯機器から取得する傾き取得部と、前記傾き信号に応じて、前記画像表示面に表示される画面の状態を変化させる画面状態変更手段と、を備える。ここで、前記画面状態変更手段は、前記傾き信号に基づいて、前記映像取得部により取得された前記映像信号に基づく画像を、前記表示面の前記傾きに追従するよう、前記画像表示面において傾かせる。
【０００９】
本態様に係る画像表示装置によれば、携帯機器の表示面に表示された画面の画像が画像表示面に表示された状態において、たとえば、ユーザが入力操作のために携帯機器の表示面を基準状態から傾けると、表示面の傾きに追従するように画像表示面上の画面の画像が傾く。これにより、ユーザは、携帯機器の画面の画像が、単に、画像表示面上に大きく表示される場合に比べて、より臨場感を得ることができる。
【００１０】
本態様に係る画像表示装置において、前記画像生成部は、光源からの光を変調して画像光を生成する光変調部を含むような構成とされ得る。この場合、画像表示装置は、前記画像光を前記画像表示面である被投写面に投写する投写部を、さらに備える。前記画面状態変更手段は、前記画像光により形成される投写画面が前記被投写面上において回転するよう、前記画像生成部を回転させる駆動部と、前記傾き信号に従って前記駆動部を制御する駆動制御部と、を有する。
【００１１】
このような構成とすれば、携帯機器の表示面が傾けられると、それに応じて画像生成部が回転する。これにより、投写画面が回転し、投写画面に含まれる携帯機器の画面の画像が傾く。よって、携帯機器からの映像信号に、携帯機器の画面の画像を傾けるための信号処理を施す必要がない。
【００１２】
このような構成とした場合、前記表示面の横方向が水平面に対して平行となる状態が、前記基準状態とされ得る。さらに、前記傾き信号は、前記基準状態に対する前記表示面の面内方向における傾き角を示す信号とされ得る。この場合、前記駆動部は、前記画像生成部からの前記画像光の出射方向に垂直な面内方向に前記画像生成部を回転させる。そして、前記駆動制御部は、前記投写画面の横方向が水平面に対して前記表示面と同じ方向に傾くように、前記傾き信号に応じて前記駆動部を制御する。
【００１３】
このような構成とすれば、ユーザが、表示面の面内方向において、表示面の横方向が水平面に対して平行となる状態から表示面を傾けると、投写画面、即ち、携帯機器の画面の画像が、被投写面の面内方向において、投写画面の横方向が水平面に対して平行となる状態から傾く。この場合、被投写面上に形成された携帯機器の画面の画像が台形状に歪まないので、ユーザは、携帯機器の画面の画像を良好に観ることができる。
【００１４】
このような構成とした場合、さらに、前記駆動部は、前記画像光の中心軸を回転軸として、前記画像生成部を回転させるような構成とされ得る。
【００１５】
このような構成とすれば、投写画面が、画面の中心を回転中心として回転するように傾くので、投写画面が被投写面上で左右に大きく振れることがなく、投写画面が被投写面からはみ出てしまうことが生じにくい。
【００１６】
本態様に係る画像表示装置において、前記画面状態変更手段は、前記回路部に配され、前記映像取得部により取得された前記映像信号を前記傾き信号に応じて処理する信号処理部を含むような構成とされ得る。この場合、前記信号処理部は、前記映像取得部により取得された前記映像信号から、当該映像信号に基づく画像が前記画像表示面上において傾いた前記画面を形成するための傾き表示用の信号を生成する。
【００１７】
このような構成とすれば、画像表示面に表示された画面を回転させることなく、携帯機器からの映像信号に対する信号処理によって、画像表示面上に形成された携帯機器の画面の画像を傾けることができる。よって、画像生成部を回転させるような機械的な構成を要しないため、装置の構造が複雑になったり、装置のサイズが大きくなったりすることを抑制できる。また、携帯機器の表示面の多様な方向の傾きに対応して、画像表示面上に形成された携帯機器の画面の画像を傾けることが可能となる。
【００１８】
このような構成とした場合、さらに、前記信号処理部は、前記傾き信号に従ってキーストーン補正の処理を行うことにより、前記傾き表示用の信号を生成するような構成とされ得る。
【００１９】
このような構成とすれば、キーストーン補正の処理を利用することができるので、画像表示面上において携帯機器の画面の画像を傾けるための信号処理を容易に実現できる。
【００２０】
本発明の第２の態様に係る携帯機器は、映像信号に基づく画面を表示面に表示させる表示部と、前記表示面に表示される画面を形成するための前記映像信号を外部装置に供給するための映像供給部と、基準状態に対する前記表示面の傾きを示す傾き信号を、前記映像信号の供給に並行して前記外部装置に供給するための傾き供給部と、を有する。
【００２１】
本態様に係る携帯機器によれば、外部装置、たとえば、投写型表示装置により表示された携帯機器の画面の画像を、携帯機器の表示面の傾きに追従させて傾かせることが可能となる。
【００２２】
本態様に係る携帯機器において、前記表示面の横方向が水平面に対して平行となる状態が、前記基準状態とされ得る。さらに、前記傾き信号は、前記基準状態に対する前記表示面の面内方向における傾きを示す信号とされ得る。
【００２３】
このような構成とすれば、外部装置により表示された携帯機器の画面の画像が傾いたときに、画面の画像が台形状になるのを抑制することが可能となる。
【発明の効果】
【００２４】
以上のとおり、本発明によれば、携帯機器の表示面に表示された画面を、より臨場感が得られる状態で、被投写面等の画像表示面に表示させることを可能とする画像表示装置および携帯機器を提供することができる。
【００２５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２６】
【図１】実施の形態に係る、プロジェクタおよび携帯機器の構成を示す図である。
【図２】実施の形態に係る、プロジェクタの内部構造を示す図である。
【図３】実施の形態に係る、光学エンジンおよび投写レンズユニットの構成を示す図である。
【図４】実施の形態に係る、プロジェクタの構成を示すブロック図である。
【図５】実施の形態に係る、携帯機器の構成を示すブロック図である。
【図６】実施の形態に係る、スクリーンに投写された携帯機器の表示画面の画像を、携帯機器の表示面の傾きに追従させて傾けるための制御処理を示すフローチャートである。
【図７】実施の形態に係る、携帯機器の表示画面の画像がスクリーン上に投写されているときに、表示面を傾ける操作がなされた場合のスクリーン上での表示画面の画像の動きを示す図である。
【図８】変更例に係る、プロジェクタの構成を示す図である。
【図９】変更例に係る、スクリーンに投写された携帯機器の表示画面の画像を、携帯機器の表示面の傾きに追従させて傾けるための制御処理を示すフローチャートである。
【図１０】変更例に係る、携帯機器の表示画面の画像がスクリーン上に投写されているときに、表示面を傾ける操作がなされた場合のスクリーン上での表示画面の画像の動きを示す図である。
【図１１】変更例に係る、携帯機器の表示画面の画像がスクリーン上に投写されているときに、表示面を傾ける操作がなされた場合のスクリーン上での表示画面の画像の動きを示す図である。
【図１２】その他の変更例に係る、プロジェクタの構成について説明するための図である。
【図１３】その他の実施形態に係る、液晶ディスプレイの構成を示す図である。
【図１４】その他の実施形態に係る、液晶ディスプレイの表示面に表示された携帯機器の表示画面の画像を、携帯機器の表示面の傾きに追従させて傾けるための制御処理を示すフローチャートである。
【図１５】その他の実施形態に係る、携帯機器の表示画面の画像が液晶ディスプレイの表示面に表示されているときに、携帯機器の表示面を傾ける操作がなされた場合の液晶ディスプレイの表示面上での表示画面の画像の動きを示す図である。
【発明を実施するための形態】
【００２７】
以下、図面を参照して、実施の形態に係るプロジェクタおよび携帯機器について説明する。
【００２８】
図１は、プロジェクタ１および携帯機器２の構成を示す図である。図１（ａ）は、プロジェクタ１および携帯機器２の斜視図である。図１（ｂ）は、携帯機器２から出力される傾き信号について説明するための図である。
【００２９】
プロジェクタ１は、持ち運びが容易な、小型のプロジェクタである。プロジェクタ１は、ベースユニット１０と、ベースユニット１０内に回転可能に保持された投写表示ユニット２０とを備えている。ベースユニット１０の前面からは、投写表示ユニット２０を構成する投写レンズユニット２０３が前方へ突出している。投写表示ユニット２０は、投写レンズユニット２０３からの画像光の出射方向と垂直な面内方向に回転する。
【００３０】
携帯機器２は、たとえば、ポータブルゲーム機、携帯電話機である。携帯機器２は、表示部３０１を備えている。表示部３０１の表示面３０１ａが外部に現れている。表示面３０１ａには、各種の表示画面が表示される。たとえば、携帯機器２において、ゲームソフトのアプリケーションプログラムが実行された場合、表示面３０１ａには、ゲーム画面が表示される。
【００３１】
携帯機器２からは、表示面３０１ａに表示される表示画面の画像が含まれる投写画面をスクリーンに投写するため、プロジェクタ１へ映像信号が出力される。さらに、携帯機器２からは、傾き信号がプロジェクタ１へ出力される。
【００３２】
本実施の形態では、図１（ｂ）に示すように、前記表示面３０１ａの横方向が水平面に対して平行となる状態が基準状態とされる。傾き信号は、基準状態に対する表示面３０１ａの面内方向における傾き角αを示す。上記面内方向において、表示面３０１ａが基準状態から傾けられると、それに応じて投写表示ユニット２０が回転し、スクリーンに投写された投写画面、即ち、携帯機器２の表示画面の画像が、表示面３０１ａに表示された表示
画面と同じように傾く。
【００３３】
このように、表示面３０１ａの傾きに追従させてスクリーン上の表示画面の画像を傾けるための構成について、以下、詳細に説明する。
【００３４】
図２は、プロジェクタ１の内部構造を示す図である。図２（ａ）は、横方向から見たプロジェクタ１の断面図であり、図２（ｂ）、（ｃ）は、前方から見たプロジェクタ１の断面図である。図２（ｂ）は、図２（ａ）のＡ−Ａ´断面図であり、図２（ｃ）は、図２（ａ）のＢ−Ｂ´断面図である。
【００３５】
ベースユニット１０内には、投写表示ユニット２０が収容される収容部１０１が形成されている。収容部１０１は、ほぼ円筒形状を有する。ベースユニット１０内の上部には、収容部１０１の後方にモータ１０２が配されている。モータ１０２の回転軸１０２ａには駆動用ギア１０３が取り付けられている。駆動用ギア１０３の一部が、収容部１０１の後部において収容部１０１内に露出している。
【００３６】
ベースユニット１０内の下部には、左右に支持用ギア１０４、１０５が配されている。支持用ギア１０４は、支持部１０６により回転可能に支持されており、支持用ギア１０５は、支持部１０７により回転可能に支持されている。これら支持用ギア１０４、１０５の一部が、収容部１０１の後部において収容部１０１内に露出している。
【００３７】
収容部１０１内の前部には、上下に半球状の支持用突起１０８、１０９が形成されている。収容部１０１の上部には、支持用突起１０８の後方に出力端子部１１０が配されている。出力端子部１１０には、２つの電源出力端子１１１、１１２が設けられている。これら電源出力端子１１１、１１２が収容部１０１内に露出している。
【００３８】
投写表示ユニット２０は、キャビネット２０１と、光学エンジン２０２と、投写レンズユニット２０３とを備えている。キャビネット２０１は、ほぼ円筒形状を有している。キャビネット２０１の後部には、外周面に環状のラックギア２０４が配されている。ラックギア２０４が、駆動用ギア１０３および左右の支持用ギア１０４、１０５にかみ合うことにより、これらギア１０３、１０４、１０５によって、キャビネット２０１の後部が回転可能に支持される。また、キャビネット２０１の前部は、上下の支持用突起１０８、１０９に接し、これら支持用突起１０８、１０９によりキャビネット２０１の前部が回転可能に支持される。
【００３９】
キャビネット２０１には、光学エンジン２０２および投写レンズユニット２０３が配されている。
【００４０】
図３は、光学エンジン２０２および投写レンズユニット２０３の構成を示す図である。
【００４１】
光学エンジン２０２は、光源部２１１と、自由曲面レンズ２１２と、ＰＢＳアレイ２１３と、ＰＢＳ２１４と、光変調部２１５とを備えている。
【００４２】
光源部２１１は、白色光を発するＬＥＤからなる。光源部２１１から出射された光は、自由曲面レンズ２１２に入射される。自由曲面レンズ２１２は、入射された光が光変調部２１５に適正に照射されるよう、レンズ作用を付与する。自由曲面レンズ２１２から出射された光は、ＰＢＳアレイ２１３を通過することにより、ＰＢＳ２１４に対してＳ偏光となるよう偏光方向が揃えられる。ＰＢＳアレイ２１３を通過したＳ偏光の光は、ＰＢＳ２１４で反射され、光変調部２１５に照射される。
【００４３】
光変調部２１５は、ＲＧＢのカラーフィルタを有する反射型液晶パネルからなる。光変調部２１５は、ＲＧＢ各色のカラーフィルタを通過した赤色波長帯の光（以下、Ｒ光という）、緑色波長帯の光（以下、Ｇ光という）および青波長帯の光（以下、Ｂ光という）を、映像信号に基づいて変調し反射する。
【００４４】
光変調部２１５から出射されたＲ光、Ｇ光およびＢ光は、その偏光方向に応じてＰＢＳ２１４を透過し、スクリーン上に投写画面を形成する画像光として、投写レンズユニット２０３に入射する。ここで、光変調部２１５の中心軸Ｘは、投写レンズユニット２０３の光軸Ｌと一致しており、画像光の中心軸が投写レンズユニット２０３の光軸Ｌ１に一致する状態で、画像光が投写レンズユニット２０３に入射する。
【００４５】
投写レンズユニット２０３は、光学エンジン２０２から出射された画像光を、スクリーンへ拡大投写する。スクリーン上に映し出された投写画面は、横長の長方形状を有する。投写レンズユニット２０３は、その光軸方向に移動可能なフォーカスレンズ（図示せず）を含む。フォーカスレンズを前後に移動させることにより、フォーカス調整が行われる。
【００４６】
図２に戻り、投写レンズユニット２０３は、キャビネット２０１の前面から前方に突出する。さらに、投写レンズユニット２０３は、収容部１０１の開口１０１ａを通じて、ベースユニット１０の前方に突出する。
【００４７】
キャビネット２０１の外周面には、２つの電源入力端子２０５、２０６が配されている。これら電源入力端子２０５、２０６は、円弧状に湾曲した、細長い金属板により構成されている。出力端子部１１０の電源出力端子１１１、１１２が、電源入力端子２０５、２０６に接する。
【００４８】
モータ１０２が回転すると、駆動用ギア１０３が回転し、ラックギア２０４に回転が伝達されて、キャビネット２０１、即ち、投写表示ユニット２０が回転する。キャビネット２０１の中心軸Ｐは、投写レンズユニット２０３の光軸Ｌ、即ち、画像光の中心軸と一致している。よって、キャビネット２０１は、画像の中心軸を回転軸として回転する。
【００４９】
投写表示ユニット２０が基準位置にあるときには、スクリーンに形成される投写画面が水平状態、即ち、投写画面の横方向が水平面に平行な状態となる（図６（ａ）参照）。投写表示ユニット２０は、基準位置から右回りまたは左回りに予め決められた上限の角度まで回転する。投写表示ユニット２０が基準位置から回転した角度だけ、スクリーン上の投写画面が水平状態から傾く（図６（ｂ）、（ｃ）参照）。
【００５０】
投写表示ユニット２０が回転すると、各電源出力端子１１１、１１２が、対応する電源入力端子２０５、２０６上を摺動する。これにより、投写表示ユニット２０が回転しても、投写表示ユニット２０への電力供給が可能となる。
【００５１】
図４は、プロジェクタ１の構成を示すブロック図である。ベースユニット１０は、図２に示す構成に加え、第１制御部２２１と、第１記憶部２２２と、操作部２２３と、報知部２２４と、駆動部２２５と、信号入力部２２６と、第１無線通信部２２７と、ＡＣ／ＤＣ電源２２８と、電源出力部２２９とを備えている。
【００５２】
操作部２２３には、ベースユニット１０および投写表示ユニット２０の操作に係る各種の操作キーが備えられている。操作部２２３は、ユーザのキー操作に応じた操作信号を第１制御部２２１へ出力する。報知部２２４は、運転の状態の報知、各種のエラーの報知等を行う。
【００５３】
駆動部２２５は、上述したモータ１０２およびモータ１０２を駆動するための駆動回路を含む。
【００５４】
信号入力部２２６は、携帯機器２から出力された映像信号および傾き信号を取得し、映像信号を第１無線通信部２２７へ出力するとともに、傾き信号を第１制御部２２１へ出力する。映像信号および傾き信号の送受信が有線により行われる場合、信号入力部２２６は、映像信号を入力するための入力端子と傾き信号を入力するための入力端子とを含む構成とされる。一方、映像信号および傾き信号の送受信が無線により行われる場合、信号入力部２２６は、無線信号化された映像信号および傾き信号を受信するための受信回路を含む構成とされる。
【００５５】
第１無線通信部２２７は、信号入力部２２６から入力された映像信号を変調して無線信号化し、投写表示ユニット２０の第２無線通信部（後述する）へ送信する。また、第１無線通信部２２７は、第１制御部２２１を介して入力された投写表示ユニット２０に係る操作信号を変調して無線信号化し、第２無線通信部へ送信する。さらに、第１無線通信部２２７は、第２無線通信部から無線信号化された傾き信号を受信し、無線信号化された傾き信号を復調して第１制御部２２１へ出力する。
【００５６】
ＡＣ／ＤＣ電源２２８は、商用電源から供給された交流の電力を直流の電力に変換し、電源出力部２２９に送る。電源出力部２２９は、上述した出力端子部１１０を含み、各電源出力端子１１１、１１２を介して、投写表示ユニット２０の電源入力部（後述する）へ電力を送る。
【００５７】
第１記憶部２２２は、ＲＡＭ、ＲＯＭ等で構成されている。第１記憶部２２２には、第１制御部２２１に制御機能を付与するための制御プログラムが記憶されている。
【００５８】
第１制御部２２１は、ＣＰＵを備える。第１制御部２２１は、操作部２２３からのベースユニット１０に係る操作信号、信号入力部２２６からの傾き信号、投写表示ユニット２０からの傾き信号等に基づき、第１記憶部２２２に記憶された制御プログラムに従って、報知部２２４、駆動部２２５および第１無線通信部２２７を制御する。
【００５９】
なお、第１制御部２２１、第１記憶部２２２、駆動部２２５等には、図示しない電源部から電力が供給される。この電源部には、ＡＣ／ＤＣ電源２２８から電力が供給される。
【００６０】
投写表示ユニット２０は、図２および図３に示す構成に加え、第２制御部２３１と、第２記憶部２３２と、傾き検出部２３３と、第２無線通信部２３４と、映像信号処理部２３５と、電源入力部２３６と、光源用電源２３７とを備えている。
【００６１】
傾き検出部２３３は、加速度センサを含む。投写表示ユニット２０が基準位置にある状態から回転すると、投写表示ユニット２０の基準位置に対する傾き角に応じた傾き信号が傾き検出部２３３から第２制御部２３１へ出力される。傾き信号は、さらに、第２制御部２３１から第２無線通信部２３４へ出力される。
【００６２】
第２無線通信部２３４は、第１無線通信部２２７からの無線信号化された映像信号および操作信号を復調し、映像信号を映像信号処理部２３５へ出力するとともに、操作信号を第２制御部２３１へ出力する。また、第２無線通信部２３４は、第２制御部２３１から入力された傾き信号を変調して無線信号化し、第１無線通信部２２７へ出力する。
【００６３】
映像信号処理部２３５は、第２制御部２３１からの制御信号に従い、第２無線通信部２３４から入力された映像信号に各種処理を施して光変調部２１５に適する映像信号を生成
し、光変調部２１５へ出力する。たとえば、映像信号処理部２３５は、携帯機器２の表示面３０１aに表示される表示画面に係る映像信号が入力されると、表示画面が含まれる投写画面をスクリーン上に形成するための映像信号を生成する。
【００６４】
電源入力部２３６は、上述した各電源入力端子２０５、２０６を含み、各電源入力端子２０５、２０６介して電源出力部２２９から電力を受け取り、光源用電源２３７へ送る。
【００６５】
光源用電源２３７は、電源入力部２３６から送られてきた電力から、光源部２１１の駆動に適する電力を生成する。光源用電源２３７は、生成した電力を第２制御部２３１からの制御信号に従って光源部２１１へ供給することにより、光源部２１１を駆動する。
【００６６】
第２記憶部２３２は、ＲＡＭ、ＲＯＭ等で構成されている。第２記憶部２３２には、第２制御部２３１に制御機能を付与するための制御プログラムが記憶されている。
【００６７】
第２制御部２３１は、ＣＰＵを備える。第２制御部２３１は、第２無線通信部２３４から入力された投写表示ユニット２０に係る操作信号等に基づき、第２記憶部２３２に記憶された制御プログラムに従って、映像信号処理部２３５、光変調部２１５および光源用電源２３７を制御する。
【００６８】
なお、第２制御部２３１、第２記憶部２３２、映像信号処理部２３５、光変調部２１５等には、図示しない電源部から電力が供給される。この電源部には、電源入力部２３６から電力が供給される。
【００６９】
図５は、携帯機器２の構成を示すブロック図である。
【００７０】
携帯機器２は、表示部３０１に加えて、制御部３０２と、記憶部３０３と、操作部３０４と、傾き検出部３０５と、映像信号処理部３０６と、信号出力部３０７とを備えている。
【００７１】
操作部３０４は、各種操作キーを備え、ユーザのキー操作に応じた操作信号を制御部３０２へ出力する。また、操作部３０４は、表示部３０１の表示面３０１ａに配されたタッチセンサを含み、ユーザの表示面３０１ａに対する操作に応じた操作信号を制御部３０２へ出力する。
【００７２】
傾き検出部３０５は、加速度センサを含む。傾き検出部３０５からは、図１（ｂ）示す、表示面３０１ａの傾き角αに応じた傾き信号が制御部３０２へ出力される。
【００７３】
記憶部３０３は、ＲＡＭ、ＲＯＭ等で構成されている。記憶部３０３には、制御部３０２に制御機能を付与するための制御プログラムが記憶されている。また、記憶部３０３には、ゲームソフトを含む種々のアプリケーションプログラム（以下、単に「アプリケーション」という）が保存されている。
【００７４】
制御部３０２は、ＣＰＵを備える。制御部３０２は、操作部３０４からの操作信号、傾き検出部３０５からの傾き信号等に基づき、記憶部３０３に記憶された制御プログラムに従って映像信号処理部３０６および表示部３０１を制御する。たとえば、アプリケーションが実行される場合、制御部３０２は、アプリケーションの実行画面に係る画像データを記憶部３０３から読み出し、映像信号処理部３０６へ出力する。また、制御部３０２は、表示面３０１ａを傾ける操作が入力操作の一つに設定されたアプリケーションが実行された場合、傾き検出部３０５からの傾き信号に基づいて、アプリケーションを進行させるとともに、傾き信号を信号出力部３０７へ出力する。
【００７５】
映像信号処理部３０６は、制御部３０２から出力された画像データを処理して、表示部３０１に適する映像信号を生成する。生成された映像信号は、表示部３０１へ出力されるとともに、信号出力部３０７へ出力される。
【００７６】
表示部３０１は、たとえば、液晶ディスプレイであり、入力された映像信号に応じた表示画面を表示面３０１ａに表示する。
【００７７】
信号出力部３０７は、映像信号処理部３０６から出力された映像信号、および制御部３０２から出力された傾き信号をプロジェクタ１へ出力する。映像信号および傾き信号の送受信が有線により行われる場合、信号出力部３０７は、映像信号を出力するための出力端子と傾き信号を出力するための出力端子とを含む構成とされる。一方、映像信号および傾き信号の送受信が無線により行われる場合、信号出力部３０７は、映像信号および傾き信号を無線信号化して送信するための送信回路を含む構成とされる。
【００７８】
図６は、スクリーンに投写された携帯機器２の表示画面の画像を、携帯機器２の表示面３０１ａの傾きに追従させて傾けるための制御処理を示すフローチャートである。図６（ａ）のフローチャートは、携帯機器２における制御処理を示し、図６（ｂ）のフローチャートは、プロジェクタ１における制御処理を示す。
【００７９】
携帯機器２からの映像信号および傾き信号がプロジェクタ１へ入力されるよう携帯機器２とプロジェクタ１とが接続された状態において、プロジェクタ１による投写運転が開始されると、携帯機器２の表示面３０１ａに表示された表示画面（たとえば、アプリケーションの実行画面）の画像が含まれる投写画面が投写表示ユニット２０によりスクリーンに投写される。本実施の形態では、投写画面全体が表示画面の画像により構成される。即ち、表示画面の画像が投写画面と同じサイズとされる（図７（ａ）参照）。
【００８０】
図６（ａ）を参照し、携帯機器２において、制御部３０２は、起動されたアプリケーションが、表示面３０１ａを傾ける操作が入力操作の一つに設定されたアプリケーションであると判定すると（Ｓ１０１：ＹＥＳ）、傾き検出部３０５から傾き信号を取得し（Ｓ１０２）、取得した傾き信号に従ってアプリケーションを進行させる（Ｓ１０３）。さらに、制御部３０２は、取得した傾き信号を出力する（Ｓ１０４）。出力された傾き信号は、信号出力部３０７を介してプロジェクタ１へ送られる。
【００８１】
制御部３０２は、アプリケーションが実行されている間（Ｓ１０５：ＮＯ）、所定の時間間隔でステップＳ１０２からステップＳ１０４の処理を繰り返す。アプリケーションが終了されると（Ｓ１０５：ＹＥＳ）、処理が終了する。
【００８２】
図６（ｂ）を参照し、プロジェクタ１において、第１制御部２２１は、携帯機器２から傾き信号の出力が開始されると（Ｓ２０１：ＹＥＳ）、携帯機器２からの傾き信号を取得する（Ｓ２０２）。さらに、第１制御部２２１は、投写表示ユニット２０からの傾き信号により投写表示ユニット２０の傾きを検出する（Ｓ２０３）。
【００８３】
第１制御部２２１は、投写表示ユニット２０の傾きが携帯機器２の傾きと一致していなければ（Ｓ２０４：ＮＯ）、両者の傾きが一致するまで、傾きを一致させる方向にモータ１０２を回転させる（Ｓ２０５）。第１制御部２２１は、携帯機器２から傾き信号の出力が継続している間（Ｓ２０６：ＮＯ）、所定の時間間隔でステップＳ２０２からステップＳ２０５の処理を繰り返す。携帯機器２からの傾き信号が停止すると（Ｓ２０６：ＹＥＳ）、処理が終了する。
【００８４】
図７は、携帯機器２の表示画面の画像がスクリーンに投写されているときに、表示面３０１ａを傾ける操作がなされた場合のスクリーン上での表示画面の画像の動きを示す図である。
【００８５】
図７（ａ）に示すように、表示面３０１ａが基準状態にあるときには、投写表示ユニット２０は基準位置に維持され、スクリーン上の、投写画面、即ち表示画面の画像は水平な状態となる。たとえば、表示画面が、表示面３０１ａの傾き角αに応じて、オブジェクトＯが移動するようなゲームの実行画面である場合、表示画面中のオブジェクトＯは停止した状態となる。
【００８６】
図７（ｂ）に示すように、図７（ａ）の状態から、表示面３０１ａが反時計回りに傾けられた場合、表示面３０１ａの傾き角αに応じて表示画面中のオブジェクトＯが左方向に移動する。また、投写表示ユニット２０が反時計回りに回転することにより、スクリーン上の表示画面の画像が表示面３０１ａの傾き角αに合わせて反時計回りに傾く。スクリーンを見たユーザには、あたかも、表示画面の画像が傾いたことによりオブジェクトＯが左方向に移動したように見える。
【００８７】
一方、図７（ｃ）に示すように、図７（ａ）の状態から、表示面３０１ａが時計回りに傾けられた場合、表示面３０１ａの傾き角αに応じて表示画面中のオブジェクトＯが右方向に移動する。また、投写表示ユニット２０が時計回りに回転することにより、スクリーン上の表示画面の画像が表示面３０１ａの傾き角αに合わせて時計回りに傾く。スクリーンを見たユーザには、あたかも、表示画面の画像が傾いたことによりオブジェクトＯが右方向に移動したように見える。
【００８８】
このようにして、表示面３０１ａが基準状態から傾くと、スクリーンに映された表示画面の画像が、表示面３０１ａの傾きに追従するように傾く。
【００８９】
ここで、投写表示ユニット２０は、画像光の中心軸を回転軸として回転する。このため、スクリーン上の投写画面、即ち表示画面の画像は、画面の中心Ｑを回転中心として回転するように傾く。
【００９０】
以上、本実施の形態によれば、携帯機器２の表示面３０１ａに表示された表示画面画像がスクリーンに投写された状態において、たとえば、ユーザが入力操作のために表示面３０１ａを基準状態から傾けると、それに追従するようにスクリーン上の表示画面の画像が傾く。これにより、ユーザは、表示画面の画像が、単に、スクリーン上に大きく投写される場合に比べて、より臨場感を得ることができる。
【００９１】
さらに、本実施の形態によれば、携帯機器２の表示面３０１ａが傾けられると、それに応じて投写表示ユニット２０が回転する。これにより、投写画面が回転し、投写画面に含まれる表示画面の画像が傾く。よって、携帯機器２からの映像信号に、表示画面の画像を傾けるための信号処理を施す必要がない。
【００９２】
さらに、本実施の形態によれば、ユーザが、表示面３０１ａの面内方向において、表示面３０１ａの横方向が水平面に対して平行となる状態から表示面３０１ａを傾けると、投写表示ユニット２０が画像光の出射方向と垂直な面内方向に回転し、投写画面、即ち、表示画面の画像が、スクリーンの面内方向において、投写画面の横方向が水平面に対して平行となる状態から傾く（図７（ｂ）、（ｃ）参照）。この場合、スクリーン上に形成された表示画面の画像が台形状に歪まないので、ユーザは、表示画面の画像を良好に観ることができる。
【００９３】
さらに、本実施の形態によれば、投写表示ユニット２０が、画像光の中心軸を回転軸として回転することにより、スクリーン上の投写画面が、画面の中心Ｑを回転中心として回転するように傾く。よって、投写画面がスクリーン上で左右に大きく振れることがなく、投写画面がスクリーンからはみ出てしまうことが生じにくい。
【００９４】
＜変更例＞
図８は、変更例に係る、プロジェクタ１の構成を示す図である。図８（ａ）は、プロジェクタ１の斜視図であり、図８（ｂ）は、プロジェクタ１のブロック図である。
【００９５】
上記実施の形態では、プロジェクタ１に、投写表示ユニット２０を回転させる回転機構を設けることにより、携帯機器２の表示面３０１ａの傾きに追従して、スクリーンに投写された表示画面の画像が傾く構成とされている。これに対し、本変更例では、携帯機器２からの映像信号に信号処理を施すことにより、携帯機器２の表示面３０１ａの傾きに追従して、スクリーンに投写された表示画面の画像が傾けられる。
【００９６】
図８（ａ）に示すように、プロジェクタ１には、本体キャビネット４０１内に、光学エンジン４０２および投写レンズユニット４０３が備えられている。投写レンズユニット４０３の前部が、本体キャビネット４０１の前面から前方に突出している。光学エンジン４０２および投写レンズユニット４０３の構成は、上記実施の形態における光学エンジン２０２および投写レンズユニット２０３の構成と同様である。
【００９７】
図８（ｂ）に示すように、プロジェクタ１は、さらに、制御部４１１と、記憶部４１２と、操作部４１３と、報知部４１４と、信号入力部４１５と、映像信号処理部４１６と、ＡＣ／ＤＣ電源４１７と、光源用電源４１８とを備えている。制御部４１１、記憶部４１２、操作部４１３、報知部４１４、信号入力部４１５、映像信号処理部４１６、ＡＣ／ＤＣ電源４１７および光源用電源４１８の構成は、それぞれ、上記実施の形態における、第２制御部２３１、第２記憶部２３２、操作部２２３、報知部２２４、信号入力部２２６、映像信号処理部２３５、ＡＣ／ＤＣ電源２２８および光源用電源２３７と同様である。
【００９８】
映像信号処理部４１６は、キーストーン補正部４１９を備えている。キーストーン補正部４１９には、携帯機器２からの映像信号および傾き信号が信号入力部４１５から入力される。キーストーン補正部４１９は、傾き信号に従って、携帯機器２からの映像信号にキーストーン補正の処理を施し、傾き表示用の映像信号を生成する。傾き表示用の映像信号に従って、光源部２１１からの光が光変調部２１５により変調されることにより、携帯機器２の表示面３０１ａの傾き角αに応じて、表示面３０１ａに表示された表示画面の画像が傾いた投写画面がスクリーン上に投写される（図１０（ｂ）、（ｃ）参照）。
【００９９】
図９は、変更例に係る、スクリーンに投写された携帯機器２の表示画面の画像を、携帯機器２の表示面３０１ａの傾きに追従させて傾けるための制御処理を示すフローチャートである。図１０は、変更例に係る、携帯機器２の表示画面の画像がスクリーンに投写されているときに、表示面３０１ａを傾ける操作がなされた場合のスクリーン上での表示画面の画像の動きを示す図である。
【０１００】
本変更例における、携帯機器２から傾き信号を送出させる制御処理は、上記実施の形態の図６（ａ）に示された制御処理と同様である。
【０１０１】
図９を参照し、プロジェクタ１において、制御部４１１は、携帯機器２から傾き信号の出力が開始されると（Ｓ３０１：ＹＥＳ）、携帯機器２からの傾き信号を取得する（Ｓ３０２）。そして、制御部４１１は、傾き信号に従ったキーストーン補正の処理を実行するよう、映像信号処理部４１６に対して指示を行う（Ｓ３０３）。
【０１０２】
図１０（ａ）に示すように、表示面３０１ａが基準状態にあるときには、水平状態の表示画面の画像が含まれる投写画面を形成するための傾き表示用の映像信号が、キーストーン補正部４１９でのキーストーン補正により生成される。そして、生成された映像信号に基づく投写画面がスクリーンに映し出される。キーストーン補正による投写画面は、表示画面の画像が投写画面のサイズよりも小さく表示され、表示画面の画像の外側の領域が所定の背景色（たとえば、黒色）で構成される。
【０１０３】
図１０（ｂ）に示すように、図１０（ａ）の状態から、表示面３０１ａが反時計回りに傾けられた場合、表示面３０１ａの傾き角αとほぼ同じ角度だけ反時計回りに傾いた表示画面の画像が含まれる投写画面を形成するための傾き表示用の映像信号が、キーストーン補正部４１９でのキーストーン補正により生成される。そして、生成された映像信号に基づく投写画面がスクリーンに映し出される。キーストーン補正による投写画面は、表示画面の画像が投写画面のサイズよりも小さく且つ反時計回りに傾きくように表示され、表示画面の画像の外側の領域が所定の背景色で構成される。
【０１０４】
一方、図１０（ｃ）に示すように、図１０（ａ）の状態から、表示面３０１ａが時計回りに傾けられた場合、表示面３０１ａの傾き角αとほぼ同じ角度だけ時計回りに傾いた表示画面の画像が含まれる投写画面を形成するための傾き表示用の映像信号が、キーストーン補正部４１９でのキーストーン補正により生成される。そして、生成された映像信号に基づく投写画面がスクリーンに映し出される。キーストーン補正による投写画面は、表示画面の画像が投写画面のサイズよりも小さく且つ時計回りに傾きくように表示され、表示画面の画像の外側の領域が所定の背景色で構成される。
【０１０５】
このようにして、表示面３０１ａが基準状態から傾くと、スクリーンに映された投写画面自身は傾かないが、投写画面に含まれる表示画面の画像が、表示面３０１ａの傾きに追従するように傾く。
【０１０６】
上記実施の形態と同様に、表示面３０１ａは、表示面３０１ａの面内方向において、基準状態に対して傾く。このため、図１０（ｂ）、（ｃ）に示すように、スクリーン上の表示画面の画像は、スクリーンの面内方向において傾く。
【０１０７】
図９に戻り、制御部４１１は、携帯機器２から傾き信号の出力が継続している間（Ｓ３０４：ＮＯ）、所定の時間間隔でステップＳ３０２およびステップＳ３０３の処理を繰り返す。携帯機器２からの傾き信号が停止すると（Ｓ３０４：ＹＥＳ）、処理が終了する。
【０１０８】
以上、本変更例の構成によれば、上記実施の形態と同様、ユーザが入力操作のために表示面３０１ａを傾けると、それに追従するようにスクリーン上の表示画面の画像が傾く。これにより、ユーザは、表示画面の画像が、単に、スクリーン上に大きく投写される場合に比べて、より臨場感を得ることができる。
【０１０９】
さらに、本変更例の構成によれば、スクリーン上において投写画面を回転させることなく、携帯機器２からの映像信号に対する信号処理によって、スクリーン上に形成された表示画面の画像を傾けることができる。よって、投写表示ユニット２０を回転させるような機械的な構成を要しないため、プロジェクタ１の構造が複雑になったり、プロジェクタ１のサイズが大きくなったりすることを抑制できる。また、携帯機器２の表示面３０１ａの多様な方向の傾きに対応して、スクリーン上に形成された表示画面の画像を傾けることが可能となる。
【０１１０】
さらに、本変更例の構成によれば、キーストーン補正の処理を利用することができるの
で、スクリーン上において表示画面の画像を傾けるための信号処理を容易に実現できる。
【０１１１】
なお、本変更例では、図１（ｃ）に示す、表示面３０１ａの面内方向における傾き角αに応じて、スクリーン上の表示画面が傾くような構成とされている。しかしながら、表示面３０１ａが、上記以外の方向に傾いたときにその傾きに応じてスクリーン上の表示画面の画像が傾くような構成とすることもできる。たとえば、図１１（ａ）〜（ｃ）に示すように、表示面３０１ａの法線方向Ｖへの傾きに応じて、スクリーン上の表示画面の画像が傾くような構成とされても良い。この場合、図１１（ｂ）、（ｃ）に示すように、表示面３０１ａの傾きに応じて、投写画面に含まれる表示画面の画像が、スクリーンの奥行き方向に傾いて見えるような台形状に形成される。
【０１１２】
＜その他＞
以上のとおり、本実施の形態および変更例について説明したが、本発明は上記実施の形態および変更例に何ら制限されるものではなく、また、本発明の実施形態も、上記実施の形態以外に、種々の変更が可能である。
【０１１３】
たとえば、上記実施の形態では、投写表示ユニット２０全体が回転する構成により、投写画面が傾けられる。即ち、投写表示ユニット２０が本発明の画像生成部に相当する。しかしながら、これに限らず、投写表示ユニット２０のうち、投写レンズユニット２０３がベースユニット１０に固定され、キャビネット２０１および光学エンジン２０２が回転する構成により、投写画面が傾けられても良い。この場合、キャビネット２０１は、投写レンズユニット２０３の光軸Ｌを回転軸として回転する。キャビネット２０１および光学エンジン２０２が本発明の画像生成部を構成する。
【０１１４】
また、光学エンジン２０２全体が回転するのではなく、光学エンジン２０２を構成する光変調部２１５が回転する構成により、投写画面が傾けられても良い。図１２は、光変調部２１５を回転させる構成の一例を示す図である。図１２（ａ）、（ｂ）は、それぞれ、光変調部２１５およびアクチュエータ５００の側面図および正面図である。アクチュエータ５００は、モータ５０１と、モータ５０１により回転する固定板５０２とを備え、固定板５０２に光変調部２１５が固定される。図１２（ｂ）に示すように、モータ５０１が回転して固定板５０２が回転すると、光変調部２１５が傾く。光変調部２１５に照射される光のスポットは、光変調部２１５が上限位置まで傾いても、光変調部２１５全体に光が照射される大きさに設定される。この例では、光変調部２１５が、本発明の画像生成部に相当する。
【０１１５】
さらに、上記実施の形態では、投写表示ユニット２０に傾き検出部２３３が設けられ、傾き検出部２３３によって投写表示ユニット２０の実際の傾きが検出されることにより、表示面３０１ａの傾き角αと同じ角度だけ投写表示ユニット２０が回転する構成とされている。しかしながら、投写表示ユニット２０には、傾き検出部２３３が設けられず、表示面３０１ａの傾き角αと同じ角度だけ投写表示ユニット２０を回転させるためのモータ１０２の回転量が、予め実験等により決定されて、第１記憶部２２２に記憶され、第１制御部２２１が、傾き角αに応じた回転量でモータ１０２を回転させるような構成とされても良い。
【０１１６】
さらに、上記実施の形態では、光学エンジン２０２が、１つの反射型液晶パネルを用いた光学系により画像光を生成する構成とされているが、３つの反射型液晶パネルを用いた光学系により画像光を生成する構成とされても良い。また、光変調素子として透過型液晶パネル、ＤＭＤ（デジタル・マイクロミラー・デバイス）等が用いられた光学系により光学エンジン２０２が構成されても良い。さらに、光源部２１１は、ＬＥＤ光源でなく、ランプ光源やレーザ光源とされても良い。
【０１１７】
さらに、上記実施の形態では、小型のプロジェクタが例示されているが、それ小型のプロジェクタよりも大きなプロジェクタに本発明が適用されも良い。
【０１１８】
さらに、本発明は、プロジェクタ以外の各種の画像表示装置に適用することができる。たとえば、液晶ディスプレイ、有機ＥＬディスプレイ等のモニタディスプレイ、あるいは液晶テレビジョン、有機ＥＬテレビジョン等のテレビジョンに適用することができる。さらには、ゲームセンター等に備えられるゲーム機用の表示システム、あるいは乗り物の運転練習等に用いられるシミュレータ用の表示システムに適用することができる。
【０１１９】
以下、本発明の画像表示装置が液晶ディスプレイに適用された、その他の実施形態について説明する。
【０１２０】
図１３は、その他の実施形態に係る、液晶ディスプレイ３の構成を示す図である。図１３（ａ）は、液晶ディスプレイ３の斜視図であり、図１３（ｂ）は、液晶ディスプレイ３のブロック図である。
【０１２１】
その他の実施形態に係る、液晶ディスプレイ３では、変更例に係るプロジェクタ１と同様、携帯機器２からの映像信号に信号処理が施されることにより、携帯機器２の表示面３０１ａの傾きに追従して、液晶ディスプレイ３の表示面６０４ｃに表示された携帯機器２の表示画面の画像が傾けられる。液晶ディスプレイ３は大型の液晶ディスプレイであることがより望ましい。
【０１２２】
図１３（ａ）に示すように、液晶ディスプレイ３は、ディスプレイ本体６０１と、ディスプレイ本体６０１を支持するスタンド６０２により構成される。ディスプレイ本体６０１は、筺体６０３と、筺体６０３内に配されたパネルユニット６０４を備える。筺体６０３およびパネルユニット６０４は、前後に扁平な略横長の直方体形状を有する。パネルユニット６０４は、液晶パネル６０４ａと液晶パネル６０４ａを照明するバックライト６０４ｂとを含む。パネルユニット６０４の表示面６０４ｃが筺体６０３の表示窓６０３ａを通じて外部に現れている。
【０１２３】
図１３（ｂ）に示すように、液晶ディスプレイ３は、さらに、制御部６１１と、記憶部６１２と、操作部６１３と、報知部６１４と、信号入力部６１５と、映像信号処理部６１６と、ＡＣ／ＤＣ電源６１７と、バックライト用電源６１８とを備えている。
【０１２４】
操作部６１３には、液晶ディスプレイ３の操作に係る各種の操作キーが備えられている。操作部６１３は、ユーザのキー操作に応じた操作信号を制御部６１１へ出力する。報知部６１４は、各種のエラーの報知等を行う。
【０１２５】
信号入力部６１５は、携帯機器２から出力された映像信号および傾き信号を取得し、取得した映像信号および傾き信号を映像信号処理部６１６へ出力する。映像信号および傾き信号の送受信が有線により行われる場合、信号入力部６１５は、映像信号を入力するための入力端子と傾き信号を入力するための入力端子とを含む構成とされる。一方、映像信号および傾き信号の送受信が無線により行われる場合、信号入力部６１５は、無線信号化された映像信号および傾き信号を受信するための受信回路を含む構成とされる。
【０１２６】
映像信号処理部６１６は、制御部６１１からの制御信号に従い、信号入力部６１５から入力された映像信号に各種処理を施して液晶パネル６０４ａに適する映像信号を生成し、液晶パネル６０４ａへ出力する。たとえば、映像信号処理部６１６は、携帯機器２の表示面３０１aに表示される表示画面に係る映像信号が入力されると、携帯機器２の表示画面
が含まれる表示画面を液晶パネル６０４ａの表示面６０４ｃ上に形成するための映像信号を生成する。液晶パネル６０４ａは、映像信号処理部６１６からの映像信号に従ってバックライト６０４ｂからの光を変調することにより、映像信号に対応する画像（表示画面）を表示面６０４ｃ上に形成する。
【０１２７】
記憶部６１２は、ＲＡＭ、ＲＯＭ等で構成されている。記憶部６１２には、制御部６１１に制御機能を付与するための制御プログラムが記憶されている。
【０１２８】
制御部６１１は、ＣＰＵを備える。制御部６１１は、操作部６１３からの操作信号等に基づき、記憶部６１２に記憶された制御プログラムに従って、映像信号処理部６１６、液晶パネル６０４ａおよびバックライト用電源６１８を制御する。
【０１２９】
ＡＣ／ＤＣ電源６１７は、商用電源から供給された交流の電力を直流の電力に変換し、バックライト用電源６１８に送る。バックライト用電源６１８は、ＡＣ／ＤＣ電源６１７から送られてきた電力から、バックライト６０４ｂの駆動に適する電力を生成する。バックライト用電源６１８は、生成した電力を制御部６１１からの制御信号に従ってバックライト６０４ｂへ供給することにより、バックライト６０４ｂを駆動する。
【０１３０】
映像信号処理部６１６は、キーストーン補正部６１９を備えている。キーストーン補正部６１９には、携帯機器２からの映像信号および傾き信号が信号入力部６１５から入力される。キーストーン補正部６１９は、傾き信号に従って、携帯機器２からの映像信号にキーストーン補正の処理を施し、傾き表示用の映像信号を生成する。傾き表示用の映像信号に従って、バックライト６０４ｂからの光が液晶パネル６０４ａによって変調されることにより、携帯機器２の表示面３０１ａの傾き角αに応じて、表示面３０１ａに表示された表示画面の画像が傾いた表示画面が表示面６０４ｃ上に表示される（図１５（ｂ）、（ｃ）参照）。
【０１３１】
図１４は、その他の実施形態に係る、液晶ディスプレイ３の表示面６０４ｃに表示された携帯機器２の表示画面の画像を、携帯機器２の表示面３０１ａの傾きに追従させて傾けるための制御処理を示すフローチャートである。図１５は、その他の実施形態に係る、携帯機器２の表示画面の画像が液晶ディスプレイ３の表示面６０４ｃに表示されているときに、携帯機器２の表示面３０１ａを傾ける操作がなされた場合の液晶ディスプレイ３の表示面６０４ｃ上での表示画面の画像の動きを示す図である。
【０１３２】
携帯機器２から傾き信号を送出させる制御処理は、上記実施の形態の図６（ａ）に示された制御処理と同様である。
【０１３３】
図１４を参照し、液晶ディスプレイ３において、制御部６１１は、携帯機器２から傾き信号の出力が開始されると（Ｓ４０１：ＹＥＳ）、携帯機器２からの傾き信号を取得する（Ｓ４０２）。そして、制御部６１１は、傾き信号に従ったキーストーン補正の処理を実行するよう、映像信号処理部６１６に対して指示を行う（Ｓ４０３）。
【０１３４】
図１５（ａ）に示すように、表示面３０１ａが基準状態にあるときには、水平状態にある携帯機器２の表示画面の画像が含まれる表示画面を表示面６０４ｃ上に形成するための傾き表示用の映像信号が、キーストーン補正部６１９でのキーストーン補正により生成される。そして、生成された映像信号に基づく表示画面が表示面６０４ｃに映し出される。キーストーン補正による表示面６０４ｃ上の表示画面は、携帯機器２の表示画面の画像が表示面６０４ｃ上の表示画面のサイズよりも小さく表示され、携帯機器２の表示画面の画像の外側の領域が所定の背景色（たとえば、黒色）で構成される。
【０１３５】
図１５（ｂ）に示すように、図１５（ａ）の状態から、表示面３０１ａが反時計回りに傾けられた場合、携帯機器２の表示面３０１ａの傾き角αとほぼ同じ角度だけ反時計回りに傾いた表示画面の画像が含まれる表示画面を表示面６０４ｃ上に形成するための傾き表示用の映像信号が、キーストーン補正部６１９でのキーストーン補正により生成される。そして、生成された映像信号に基づく表示画面が表示面６０４ｃに映し出される。キーストーン補正による表示面６０４ｃ上の表示画面は、携帯機器２の表示画面の画像が表示面６０４ｃ上の表示画面のサイズよりも小さく且つ反時計回りに傾きくように表示され、携帯機器２の表示画面の画像の外側の領域が所定の背景色で構成される。
【０１３６】
一方、図１５（ｃ）に示すように、図１５（ａ）の状態から、表示面３０１ａが時計回りに傾けられた場合、携帯機器２の表示面３０１ａの傾き角αとほぼ同じ角度だけ時計回りに傾いた表示画面の画像が含まれる表示画面を表示面６０４ｃ上に形成するための傾き表示用の映像信号が、キーストーン補正部６１９でのキーストーン補正により生成される。そして、生成された映像信号に基づく表示画面が表示面６０４ｃに映し出される。キーストーン補正による表示面６０４ｃ上の表示画面は、携帯機器２の表示画面の画像が表示面６０４ｃ上の表示画面のサイズよりも小さく且つ時計回りに傾きくように表示され、携帯機器２の表示画面の画像の外側の領域が所定の背景色で構成される。
【０１３７】
このようにして、携帯機器２の表示面３０１ａが基準状態から傾くと、液晶ディスプレイ３の表示面６０４ｃに映された表示画面自身は傾かないが、この表示画面に含まれる携帯機器２の表示画面の画像が、表示面３０１ａの傾きに追従するように傾く。
【０１３８】
上記実施の形態と同様に、表示面３０１ａは、表示面３０１ａの面内方向において、基準状態に対して傾く。このため、図１５（ｂ）、（ｃ）に示すように、液晶ディスプレイ３の表示面６０４ｃ上の表示画面の画像は、表示面６０４ｃの面内方向において傾く。
【０１３９】
図１４に戻り、制御部６１１は、携帯機器２から傾き信号の出力が継続している間（Ｓ４０４：ＮＯ）、所定の時間間隔でステップＳ４０２およびステップＳ４０３の処理を繰り返す。携帯機器２からの傾き信号が停止すると（Ｓ４０４：ＹＥＳ）、処理が終了する。
【０１４０】
以上、その他の実施形態に係る液晶ディスプレイ３の構成によれば、ユーザは、携帯機器２の表示画面の画像が、単に、液晶ディスプレイ３の表示面６０４ｃ上に大きく表示される場合に比べて、より臨場感を得ることができる。
【０１４１】
さらに、その他の実施形態に係る液晶ディスプレイ３の構成によれば、携帯機器２からの映像信号に対する信号処理によって、表示面６０４ｃ上に表示された携帯機器２の表示画面の画像を傾けることができる。よって、機械的な構成を要しないため、液晶ディスプレイ３の構造が複雑になったり、液晶ディスプレイ３のサイズが大きくなったりすることを抑制できる。また、携帯機器２の表示面３０１ａの多様な方向の傾きに対応して、表示面６０４ｃ上に表示された携帯機器２の表示画面の画像を傾けることが可能となる。
【０１４２】
さらに、その他の実施形態に係る液晶ディスプレイ３の構成によれば、キーストーン補正の処理を利用することができるので、表示面６０４ｃ上に表示された携帯機器２の表示画面の画像を傾けるための信号処理を容易に実現できる。
【０１４３】
なお、その他の実施形態に係る液晶ディスプレイ３においても、変更例の図１１（ａ）〜（ｃ）に示す構成と同様、表示面３０１ａの法線方向Ｖへの傾きに応じて、表示面６０４ｃ上の携帯機器２の表示画面の画像が傾くような構成とされても良い。この場合、図１１（ｂ）、（ｃ）に示す構成と同様に、携帯機器２の表示面３０１ａの傾きに応じて、液
晶ディスプレイ３の表示面６０４ｃ上の表示画面に含まれる携帯機器２の表示画面の画像が、表示面６０４ｃの奥行き方向に傾いて見えるような台形状に形成される。
【０１４４】
この他、本発明の実施の形態は、特許請求の範囲に示された技術的思想の範囲内において、適宜、種々の変更が可能である。
【符号の説明】
【０１４５】
１  プロジェクタ
２  携帯機器
１０  ベースユニット
２０  投写表示ユニット
２０２  光学エンジン（画像生成部）
２０３  投写レンズユニット（投写部）
２１１  光源部（光源）
２１５  光変調部（画像生成部）
２２１  第１制御部（駆動制御部）
２２５  駆動部
２２６  信号入力部（映像取得部、傾き取得部）
２３１  第２制御部（回路部）
２３５  映像信号処理部（回路部）
４０２  光学エンジン
４０３  投写レンズユニット（投写部）
４１５  信号入力部（映像取得部、傾き取得部）
４１１  制御部（回路部）
４１６  映像信号処理部（回路部）
４１９  キーストーン補正部（信号処理部）
３０１  表示部
３０１ａ  表示面
３０２  制御部（映像供給部、傾き供給部）
３０５  傾き検出部（傾き供給部）
３０６  映像信号処理部（映像供給部）
３０７  信号出力部（映像供給部、傾き供給部）
３  液晶ディスプレイ
６０４  パネルユニット
６０４ａ  液晶パネル（画像生成部）
６０４ｂ  バックライト
６０４ｃ  表示面（画像表示面）
６１１  制御部（回路部）
６１５  信号入力部（映像取得部、傾き取得部）
６１６  映像信号処理部（回路部）
６１９  キーストーン補正部（信号処理部）
【図１】
2013146049.tif 000003
【図２】
2013146049.tif 000004
【図３】
2013146049.tif 000005
【図４】
2013146049.tif 000006
【図５】
2013146049.tif 000007
【図６】
2013146049.tif 000008
【図７】
2013146049.tif 000009
【図８】
2013146049.tif 000010
【図９】
2013146049.tif 000011
【図１０】
2013146049.tif 000012
【図１１】
2013146049.tif 000013
【図１２】
2013146049.tif 000014
【図１３】
2013146049.tif 000015
【図１４】
2013146049.tif 000016
【図１５】
2013146049.tif 000017